(57)【特許請求の範囲】
【請求項１】
横断面において、間隙を置いて互いに対向する２つのリップ部と、これらのリップ部より内方に設けられた、前記リップ部間の間隙の大きさより大きな幅を有する幅広部とを備えており、前記リップ部間の間隙は外部空間に臨む開口を構成している溝部を有する第一の被締結体を用意する段階と、
前記溝部の前記リップ部間の間隙の大きさより小さい幅を有するとともに、前記リップ部間の間隙の大きさより大きく、かつ前記溝部の幅広部の幅以下の高さを有する本体部と、この本体部の中央部に、該本体部に対し軸線方向が垂直となるように設けられた雌ねじ部と、前記本体部から突出する腕部とを有する雌ねじ具を用意する段階と、
ねじ挿通穴を有する第二の被締結体を用意する段階と、
前記雌ねじ具の前記本体部を、前記リップ部が挿入の妨げとならない回転位置に保持した状態で、前記リップ部間から前記溝部内に挿入した後、前記本体部を回転することにより前記本体部を前記リップ部間から抜け出ることができない回転位置とする段階と、
前記雌ねじ具を前記溝部の長さ方向に沿って移動し、前記雌ねじ部と前記第二の被締結体の前記ねじ挿通穴とを中心合わせする段階と、
前記第二の被締結体の前記ねじ挿通穴に雄ねじを挿通して前記雌ねじ部に螺合し、前記第一の被締結体と前記第二の被締結体とを締結する段階とを有してなり、
前記雌ねじ具の前記本体部は、前記リップ部が挿入の妨げとならない回転位置に保持した状態で、前記リップ部間から前記溝部内に挿入した後、回転して行くと、該本体部の長さ方向が前記溝部の幅方向に一致したときにそれ以上回転することができなくなる形状とされており、
前記本体部を前記リップ部間から前記溝部内に挿入した後、回転して行き、該本体部の長さ方向が前記溝部の幅方向に一致し、それ以上回転することができなくなったときは、前記腕部に作用する重力によって前記本体部が当該回転位置に保持される方向に付勢されているようになっている締結方法。
【請求項２】
前記腕部は、該腕部を摘んで前記本体部を前記溝部に挿入するとともに回転させることができるようになっている請求項１記載の締結方法。
【請求項３】
前記雌ねじ具は、前記本体部に設けられており、前記本体部が前記第一の被締結体の前記溝部内に収容され、前記リップ部間から抜け出ることができなくなる位置に回転されたとき、前記リップ部の内面に押圧され、前記第一の被締結体に対する前記本体部の動きを制動する突起部をさらに有する請求項１または２記載の締結方法。
【請求項４】
前記第一の被締結体は長尺状とされており、前記第二の被締結体は前記第一の被締結体が載置される載置部と、この載置部から立ち上がるとともに、前記ねじ挿通穴を設けられている立ち上がり部とをさらに有する請求項１乃至３のいずれか１項に記載の締結方法。
【請求項５】
横断面において、間隙を置いて互いに対向する２つのリップ部と、これらのリップ部より内方に設けられた、前記リップ部間の間隙の大きさより大きな幅を有する幅広部とを備えており、前記リップ部間の間隙は外部空間に臨む開口を構成している溝部を有する第一の被締結体の前記溝部内に挿入される雌ねじ具において、
前記溝部の前記リップ部間の間隙の大きさより小さい幅を有するとともに、前記リップ部間の間隙の大きさより大きく、かつ前記溝部の幅広部の幅以下の高さを有する本体部と、この本体部の中央部に、該本体部に対し軸線方向が垂直となるように設けられた雌ねじ部と、前記本体部から突出する腕部とを有し、
前記本体部を、前記リップ部が挿入の妨げとならない回転位置に保持した状態で、前記リップ部間から前記溝部内に挿入した後、前記本体部を回転することにより前記本体部を前記リップ部間から抜け出ることができない回転位置とし、さらに前記雌ねじ具を前記溝部の長さ方向に沿って移動し、前記雌ねじ部と前記第二の被締結体の前記ねじ挿通穴とを中心合わせし、しかる後に前記第二の被締結体の前記ねじ挿通穴に雄ねじを挿通して前記雌ねじ部に螺合し、前記第一の被締結体と前記第二の被締結体とを締結できるようになっており、
前記雌ねじ具の前記本体部は、前記リップ部が挿入の妨げとならない回転位置に保持した状態で、前記リップ部間から前記溝部内に挿入した後、回転して行くと、該本体部の長さ方向が前記溝部の幅方向に一致したときにそれ以上回転することができなくなる形状とされており、
前記本体部を前記リップ部間から前記溝部内に挿入した後、回転して行き、該本体部の長さ方向が前記溝部の幅方向に一致し、それ以上回転することができなくなったときは、前記腕部に作用する重力によって前記本体部が当該回転位置に保持される方向に付勢されているようになっている雌ねじ具。
【請求項６】
前記腕部は、該腕部を摘んで前記本体部を前記溝部に挿入するとともに回転させることができるようになっている請求項５記載の雌ねじ具。
【請求項７】
前記本体部に設けられており、前記本体部が前記第一の被締結体の前記溝部内に収容され、前記リップ部間から抜け出ることができなくなる位置に回転されたとき、前記リップ部の内面に押圧され、前記第一の被締結体に対する前記本体部の動きを制動する突起部をさらに有する請求項５または６記載の雌ねじ具。
【発明の詳細な説明】
【技術分野】
【０００１】
本発明は、締結すべき被締結体に設けられた溝部内に、該溝部の長さ方向に移動可能に挿入される雌ねじ具およびおよびこれを用いた締結方法に関する。
【背景技術】
【０００２】
従来より、被締結体に設けられた溝部内に、該溝部の長さ方向に移動可能に挿入される雌ねじ具としては、工作機械のテーブル、定盤等に設けられたＴ溝に嵌合され、前記テーブル、定盤等に所望の被取付物を取り付けるために使用されるＴ溝ナット（非特許文献１および非特許文献２参照）や、アルミフレーム等の支持体に設けられた溝部に嵌合され、前記支持体に所望の被取付物を取り付けるために使用される所謂「後入れナット」がよく知られている。
【先行技術文献】
【特許文献】
【０００３】
【非特許文献１】ＪＩＳ  Ｂ  ０９５２  工作機械のテーブル−Ｔ溝及びそのボルト
【非特許文献２】ＪＩＳ  Ｂ  １１６７  Ｔ溝ナット
【発明の概要】
【発明が解決しようとする課題】
【０００４】
しかしながら、従来のＴ溝ナットや後入れナットは、溝部の一端から挿入し、所望のセット位置まで該溝部内を移動させなければならず、溝部の途中から該溝部内にナットを挿入することはできなかった。したがって、溝部内の所望の位置にナットをセットするのに手間が掛かるとともに、ナットをセットしたい位置の手前に障害物が存在する場合（例えば、既に別のナットを手前の位置にセットして締結を行ってしまった場合等）は障害物を取り除かない限り、ナットを所望の位置にセットできない等の問題があった。
【０００５】
本発明は、このような従来の事情に鑑みてなされたもので、本発明の目的の一つは、被締結体に設けられた溝部の途中から該溝部内に挿入することができる雌ねじ具およびこれを用いた締結方法を提供することにある。
【０００６】
本発明の他の目的は、作業を容易にすることができる雌ねじ具およびこれを用いた締結方法を提供することにある。
【０００７】
本発明の他の目的は、一旦溝部内に挿入した雌ねじ具が意図に反して溝部内から脱落する虞を少なくすることができる雌ねじ具およびこれを用いた締結方法を提供することにある。
【０００８】
本発明のさらに他の目的は、以下の説明から明らかになろう。
【課題を解決するための手段】
【０００９】
本発明による締結方法は、
横断面において、間隙を置いて互いに対向する２つのリップ部と、これらのリップ部より内方に設けられた、前記リップ部間の間隙の大きさより大きな幅を有する幅広部とを備えており、前記リップ部間の間隙は外部空間に臨む開口を構成している溝部を有する第一の被締結体を用意する段階と、
前記溝部の前記リップ部間の間隙の大きさより小さい幅を有するとともに、前記リップ部間の間隙の大きさより大きく、かつ前記溝部の幅広部の幅以下の高さを有する本体部と、この本体部の中央部に、該本体部に対し軸線方向が垂直となるように設けられた雌ねじ部と、前記本体部から突出する腕部とを有する雌ねじ具を用意する段階と、
ねじ挿通穴を有する第二の被締結体を用意する段階と、
前記雌ねじ具の前記本体部を、前記リップ部が挿入の妨げとならない回転位置に保持した状態で、前記リップ部間から前記溝部内に挿入した後、前記本体部を回転することにより前記本体部を前記リップ部間から抜け出ることができない回転位置とする段階と、
前記雌ねじ具を前記溝部の長さ方向に沿って移動し、前記雌ねじ部と前記第二の被締結体の前記ねじ挿通穴とを中心合わせする段階と、
前記第二の被締結体の前記ねじ挿通穴に雄ねじを挿通して前記雌ねじ部に螺合し、前記第一の被締結体と前記第二の被締結体とを締結する段階とを有してなり、
前記雌ねじ具の前記本体部は、前記リップ部が挿入の妨げとならない回転位置に保持した状態で、前記リップ部間から前記溝部内に挿入した後、回転して行くと、該本体部の長さ方向が前記溝部の幅方向に一致したときにそれ以上回転することができなくなる形状とされており、
前記本体部を前記リップ部間から前記溝部内に挿入した後、回転して行き、該本体部の長さ方向が前記溝部の幅方向に一致し、それ以上回転することができなくなったときは、前記腕部に作用する重力によって前記本体部が当該回転位置に保持される方向に付勢されているようになっているものである。
【００１０】
また、本発明による雌ねじ具は、
横断面において、間隙を置いて互いに対向する２つのリップ部と、これらのリップ部より内方に設けられた、前記リップ部間の間隙の大きさより大きな幅を有する幅広部とを備えており、前記リップ部間の間隙は外部空間に臨む開口を構成している溝部を有する第一の被締結体の前記溝部内に挿入される雌ねじ具において、
前記溝部の前記リップ部間の間隙の大きさより小さい幅を有するとともに、前記リップ部間の間隙の大きさより大きく、かつ前記溝部の幅広部の幅以下の高さを有する本体部と、この本体部の中央部に、該本体部に対し軸線方向が垂直となるように設けられた雌ねじ部と、前記本体部から突出する腕部とを有し、
前記本体部を、前記リップ部が挿入の妨げとならない回転位置に保持した状態で、前記リップ部間から前記溝部内に挿入した後、前記本体部を回転することにより前記本体部を前記リップ部間から抜け出ることができない回転位置とし、さらに前記雌ねじ具を前記溝部の長さ方向に沿って移動し、前記雌ねじ部と前記第二の被締結体の前記ねじ挿通穴とを中心合わせし、しかる後に前記第二の被締結体の前記ねじ挿通穴に雄ねじを挿通して前記雌ねじ部に螺合し、前記第一の被締結体と前記第二の被締結体とを締結できるようになっており、
前記雌ねじ具の前記本体部は、前記リップ部が挿入の妨げとならない回転位置に保持した状態で、前記リップ部間から前記溝部内に挿入した後、回転して行くと、該本体部の長さ方向が前記溝部の幅方向に一致したときにそれ以上回転することができなくなる形状とされており、
前記本体部を前記リップ部間から前記溝部内に挿入した後、回転して行き、該本体部の長さ方向が前記溝部の幅方向に一致し、それ以上回転することができなくなったときは、前記腕部に作用する重力によって前記本体部が当該回転位置に保持される方向に付勢されているようになっているものである。
【００１１】
本発明においては、雌ねじ具の本体部を、リップ部が挿入の妨げとならない回転位置に保持した状態で、第一の被締結体のリップ部間から溝部内に挿入することにより、溝部の途中から該溝部内に挿入することができる。そして、続いて、本体部を回転することにより本体部をリップ部間から抜け出ることができない回転位置とした後、雌ねじ具を溝部の長さ方向に沿って移動し、雌ねじ部と第二の被締結体のねじ挿通穴とを中心合わせし、しかる後に第二の被締結体のねじ挿通穴に雄ねじを挿通して雌ねじ部に螺合し、第一の被締結体と第二の被締結体とを締結することができる。
【００１２】
本体部の形状が、該本体部をリップ部間から溝部内に挿入した後、回転して行くと、該本体部の長さ方向が溝部の幅方向に一致したときにそれ以上回転することができなくなる形状となっているので、締結を行う際の本体部の回転位置が自動的に決まるとともに、何らかの手段で（例えば、後述する腕部を摘む等して）本体部の回り止めすることなく、締結作業を行うことができ、作業が容易になる。
【００１３】
また、雌ねじ具の本体部から突出する腕部が設けられており、本体部をリップ部間から溝部内に挿入した後、回転して行き、該本体部の長さ方向が溝部の幅方向に一致し、それ以上回転することができなくなったときは、前記腕部に作用する重力によって本体部が当該回転位置に保持される方向に付勢されているようになっているため、その後、作業者が雌ねじ具から手を離しても、本体部がリップ部間から抜け出ることができる回転位置へ逆転することはないので、作業者の意図に反して雌ねじ具が溝部から脱落する不都合を防止できる。
【００１４】
また、本体部に突起部を設け、本体部が第一の被締結体の溝部に収容され、リップ部間から抜け出ることができなくなる位置に回転されたとき、これらの突起部がリップ部の裏面に押圧され、第一の被締結体に対する本体部の動きを制動するようにすれば、これによっても、作業者が雌ねじ具から手を離したときに、作業者の意図に反して本体部が逆転したり、溝部の長さ方向に移動したりして、溝部から脱落する不都合を防止できる。
【００１５】
さらに、腕部を摘んで本体部を溝部に挿入するとともに回転させることができるようにすれば、これによっても雌ねじ具の操作が容易になる。
【発明の効果】
【００１６】
本発明の雌ねじ具およびこれを用いた締結方法は、
（イ）雌ねじ具を第一の被締結体に設けられた溝部の途中から該溝部内に挿入することができる、
（ロ）作業を容易にすることができる、
（ハ）一旦溝部内に挿入した雌ねじ具が作業者の意図に反して溝部内から脱落しないようにすることができる、
等の優れた効果を得られるものである。
【図面の簡単な説明】
【００１７】
【図１】本発明の一実施例における雌ねじ具を示す斜視図である。
【図２】前記雌ねじ具を示す正面図である。
【図３】前記雌ねじ具を示す側面図である。
【図４】前記雌ねじ具を示す平面図である。
【図５】図１のＶ−Ｖ線における断面図である。
【図６】図１のＶＩ−ＶＩ線における断面図である。
【図７】前記実施例における第一の被締結体を示す横断面図である。
【図８】前記実施例における第二の被締結体を示す側面図である。
【図９】前記実施例において前記第一の被締結体を前記第二の被締結体の受け台の載置部に載置した状態を示す側面図である。
【図１０】前記実施例において雌ねじ具の本体部を、該本体部の幅方向と第一の被締結体の溝部の幅方向とを一致させた状態で、第一の被締結体のリップ部間から溝部内に挿入した状態を示す正面図である。
【図１１】図１０のＸＩ−ＸＩ線における断面図である。
【図１２】前記実施例において雌ねじ具の本体部を回転している過程を示す正面図である。
【図１３】前記実施例において雌ねじ具の本体部を該本体部の長さ方向と溝部の幅方向とが一致するまで回転した状態を示す正面図である。
【図１４】前記実施例において雌ねじ具を溝部の長さ方向に沿って移動し、雌ねじ部と第二の被締結体のねじ挿通穴とを中心合わせした状態を示す正面図である。
【図１５】図１４のＸＶ−ＸＶ線における断面図である。
【図１６】前記実施例において第二の被締結体のねじ挿通穴に雄ねじを挿通して雌ねじ部に螺合し、第一の被締結体と第二の被締結体とを締結した状態を示す断面図である。
【図１７】前記実施例においてデッキ材の取り付けが完了した状態を示す断面図である。
【発明を実施するための形態】
【００１８】
以下、本発明を図面に示す実施例に基づいて説明する。
【実施例１】
【００１９】
図１〜１７は本発明の一実施例を示している。本実施例は、本発明をベランダ、バルコニー、屋上、公園、遊歩道等においてデッキ床を構成するデッキ材の支持構造に適用した例である。図７は、本実施例における第一の被締結体１を示しており、この第一の被締結体１は大引ないしは根太として機能するものであって、アルミ合金等の金属からなり、押出成型されていて、直線状かつ長尺状をなしている。この第一の被締結体１は、２つの横側面に実質的に所謂リップ溝の構成を備えた溝部２をそれぞれ有している。すなわち、前記溝部２は、それぞれ、その横断面において、間隙を置いて互いに対向する２つのリップ部３と、これらのリップ部３より内方に設けられた、リップ部３間の間隙の大きさＷ1より大きな幅Ｗ2を有する幅広部４とを備えており、リップ部３間の間隙は外部空間に臨む開口を構成している。
【００２０】
図１〜６は、本実施例における雌ねじ具５を示しており、この雌ねじ具５は鋼鉄、ステンレス鋼、アルミ合金等からなる金属板材をプレス加工してなり、本体部６、突起部７および腕部８を一体的に有している。前記本体部６は大略長方形状とされており、その幅Ｗ3（図２参照）は第一の被締結体１の溝部２のリップ部３間の間隙の大きさＷ1より小さく、高さＨはリップ部３間の間隙の大きさＷ1より大きくかつ前記溝部２の幅広部４の幅Ｗ2以下とされている。すなわち、
Ｗ3＜Ｗ1          （１）
Ｗ2≧Ｈ＞Ｗ1      （２）
の関係とされている。後述する溝部２内での本体部６の回転を可能にするため、本体部６は完全な長方形ではなく、長さ方向の両端部のうちの回転方向の先頭側となる部分を、該本体部６の中心を中心とする円弧状部６ａとされている。前記本体部６の中央部には、バーリング穴とされた雌ねじ部９が設けられている。この雌ねじ部９の軸線方向は本体部６に対し垂直とされている。また、この雌ねじ部９と本体部６の円弧状部６ａとは同心とされている。前記本体部６のうちの長さ方向の両端部付近には、雌ねじ部９を挟んで前記突起部７が設けられている。これらの突起部７は、本体部６の幅方向に延びる直線状部７ａとこの直線状部７ａの一端に連続する雌ねじ部９と同心の円弧状部７ｂとをそれぞれ有している。そして、これらの突起部７は、後述する本体部６の回転方向の先端側から後端側に行くほど高さが高くなるようにされている。
【００２１】
前記腕部８は、クランク状に屈曲していて、本体部６の一方の側部の下端側から雌ねじ部９の軸方向と平行方向（言い換えれば、本体部６に対し垂直な方向）および本体部６の幅方向に突出している。前記腕部８の先端部付近には、矩形状の穴１０が明けられている。
【００２２】
図８は、本実施例における第二の被締結体１１を示している。この第二の被締結体１１は床束であって、床基礎１２上に載置される基台１３と、この基台１３に立設された伸縮可能な支柱１４と、第一の被締結体１を受ける受け台１５とを有してなる。前記受け台１５はコの字状をなしていて、コの字の中辺をなす、水平に広がる載置部１６と、前記コの字の外側の両辺をなし、載置部１６の両側から立ち上がる２つの立ち上がり部１７とを有している。これらの立ち上がり部１７にはねじ挿通穴１８がそれぞれ２つずつ設けられている。
【００２３】
次に、本実施例において第一の被締結体１と前記第二の被締結体１１とを締結する作業を図１０〜１７を用いて説明する。
【００２４】
まず、所要数の第二の被締結体１１（床束）を床基礎１２上に立設し、図９に示されるように第二の被締結体１１の受け台１５の載置部１６に第一の被締結体１（大引ないしは根太）を載置し、複数の第二の被締結体１１間に第一の被締結体１を掛け渡す。そして、第二の被締結体１１に対する第一の被締結体１の長さ方向の位置を調整するとともに、第二の被締結体１１の支柱１４の長さを調整することにより高さ調整を行う。
【００２５】
次に、作業者が雌ねじ具５の腕部８の先端部を指で摘んで、図１０および１１に示されるように、雌ねじ具５の本体部６を、該本体部６の幅方向と第一の被締結体１の溝部２の幅方向とを一致させた状態で（言い換えれば、両者の長さ方向を一致させた状態で）、第一の被締結体１のリップ部３間から溝部２内に挿入した後、図１２のように雌ねじ具５の本体部６を腕部８とともに回転して行くと、本体部６はリップ部３間から抜け出ることができない状態となる（なお、本体部６の幅Ｗ3がリップ部３間の間隙の大きさＷ1よりある程度小さくされている場合は、本体部６の幅方向と第一の被締結体１の溝部２の幅方向とがある程度ずれていても第一の被締結体１のリップ部３間から溝部２内に挿入できる）。
【００２６】
さらに回転し続けて行くと、図１３のように９０度回転したところで、本体部６の長さ方向の両端部が幅広部４の幅方向の両端部にそれぞれ当接し、それ以上本体部６を回転することができなくなる。
【００２７】
次に、回転位置はそのまま状態で、雌ねじ具５を溝部２の長さ方向に沿って移動し、図１４および１５のように雌ねじ部９と第二の被締結体１１のねじ挿通穴１８とを中心合わせする。
【００２８】
次に、図１６に示されるように、第二の被締結体１１のねじ挿通穴１８に雄ねじ１９を挿通して雌ねじ具５の雌ねじ部９に螺合し、第一の被締結体１と前記第二の被締結体１１とを締結する。
【００２９】
次に、同様にして第一の被締結体１の反対側の側面においても図１７に示されるように第一の被締結体１と前記第二の被締結体１１とを締結した後、第一の被締結体１上にデッキ材２０を取り付けることにより、デッキ床が完成する。
【００３０】
なお、本実施例では、本体部６の形状が、該本体部６をリップ部３間から溝部２内に挿入した後、回転して行くと、該本体部６の長さ方向が溝部２の幅方向に一致したときにそれ以上回転することができなくなる形状とされているので、締結を行う際の本体部６の回転位置が自動的に決まるとともに、締結作業時にわざわざ腕部８を摘んだりして本体部６の回り止めする必要がなく、作業が容易になる（なお、雄ねじ１９の締め付け回転方向は本体部６を溝部２内へ挿入した後の前記回転方向と同じ方向とされている）。
【００３１】
また、上記のように本体部６の長さ方向が溝部２の幅方向に一致し、それ以上回転することができなくなったときは、腕部８に作用する重力によって本体部６が当該回転位置に保持される方向（図１３における時計回り方向）に付勢されているので、その後、作業者が雌ねじ具５から手を離しても、本体部６がリップ部３間から抜け出ることができる回転位置へ逆転することはないので、作業者の意図に反して雌ねじ具５が溝部２から脱落する不都合を防止できる。
【００３２】
また、本実施例においては、本体部６に突起部７が設けられており、本体部６が第一の被締結体１の溝部２内に収容され、リップ部３間から抜け出ることができなくなる位置に回転されたとき、これらの突起部７がリップ部３の内面に押圧され、第一の被締結体１に対する本体部６の動きを制動するので、これによっても作業者が雌ねじ具５から手を離したときに、作業者の意図に反して本体部６が逆転したり、溝部２の長さ方向に移動したりして、溝部２から脱落する不都合を防止できる。そして、特に本実施例では、突起部７は本体部６の回転方向の先端側から後端側に行くほど高さが高くなるように構成されているので、本体部６の回転を始めるといきなり大きな制動力が作用するのではなく、本体部６の回転が進むほど前記制動力が大きくなって行くため、作業者の本体部６の回転操作を困難とすることなく、上記作用効果を得ることができる。
【００３３】
また、さらに本実施例では、腕部８を指で摘んで本体部６を溝部２に挿入するとともに回転させることができるようになっているので、これによっても雌ねじ具５の操作が容易である。
【００３４】
また、従来は床束と大引ないしは根太との間の位置関係（大引ないしは根太の長さ方向の位置関係）の調整は困難であったが、本実施例では、前記のようにして締結を行うため、第二の被締結体１１（床束）と第一の被締結体１（大引ないしは根太）との間の位置関係を容易に調整できる。
【００３５】
なお、前記実施例は、本発明をデッキ床構造に適用した例であるが、本発明は他の分野にも適用できるものである。したがって、前記実施例では第一の被締結体１は大引ないしは根太、第二の被締結体１１は床束であったが、本発明における第一の被締結体および第二の被締結体はそれぞれ他の物品であってもよい。
【００３６】
また、本発明をデッキ床構造に適用する場合も、第一の被締結体１の受け台１５は必ずしも前記実施例におけるようにコの字状でなくてもよく、例えばＬ字形とし、立ち上がり部１７が１つのみとなる形状としてもよい。
【産業上の利用可能性】
【００３７】
以上のように本発明による雌ねじ具およびこれを用いた締結方法は、締結すべき被締結体に設けられた溝部内に該溝部の長さ方向に移動可能に挿入される雌ねじ具およびおよびこれを用いた締結方法として有用である。
【符号の説明】
【００３８】
１    第一の被締結体（大引ないしは根太）
２    溝部
３    リップ部
４    幅広部
５    雌ねじ具
６    本体部
６ａ  本体部の円弧状部
７    突起部
７ａ  突起部の直線状部
７ｂ  突起部の円弧状部
８    腕部
９    雌ねじ部
１１    第二の被締結体（床束）
１５    受け台
１６    載置部
１７    立ち上がり部
１８    ねじ挿通穴
１９    雄ねじ
Ｗ1     第一の被締結体の溝部のリップ部間の間隙の大きさ
Ｗ2     第一の被締結体の溝部の幅広部の幅
Ｗ3     雌ねじ具５の本体部６の幅
【図１】
0005852900.tif 000002
【図２】
0005852900.tif 000003
【図３】
0005852900.tif 000004
【図４】
0005852900.tif 000005
【図５】
0005852900.tif 000006
【図６】
0005852900.tif 000007
【図７】
0005852900.tif 000008
【図８】
0005852900.tif 000009
【図９】
0005852900.tif 000010
【図１０】
0005852900.tif 000011
【図１１】
0005852900.tif 000012
【図１２】
0005852900.tif 000013
【図１３】
0005852900.tif 000014
【図１４】
0005852900.tif 000015
【図１５】
0005852900.tif 000016
【図１６】
0005852900.tif 000017
【図１７】
0005852900.tif 000018